(57)【要約】  電動歯ブラシが提供される。電動歯ブラシは、ハンドルと、第１及び第２の毛ホルダーと長手方向軸線とを有するヘッドと、ハンドルとヘッドとの間に配置されるネックとを有する。モータはハンドル内に配置される。シャフトはモータに動作可能に接続される。シャフトは、左右方向に旋回し、第１及び第２の毛ホルダーに動作可能に接続されて、第２の毛ホルダーを左右方向に動かし、第１の毛ホルダーをヘッドの長手方向軸線にほぼ垂直な軸線の周りで振動させる。
2008510527.tif 000002
【特許請求の範囲】
【請求項１】
ハンドルと、
第１及び第２の毛ホルダーと長手方向軸線とを有するヘッドと、
前記ハンドルと前記ヘッドとの間に配置されるネックと、
前記ハンドル内に配置されるモータと、
前記モータに動作可能に接続されたシャフトと
を備える電動歯ブラシであって、前記シャフトが左右方向に旋回し、前記シャフトが前記第１及び第２の毛ホルダーに動作可能に接続されて、前記第２の毛ホルダーを左右方向に動かし、前記第１の毛ホルダーを前記ヘッドの長手方向軸線にほぼ垂直な軸線の周りで振動させる、電動歯ブラシ。
【請求項２】
前記第２の毛ホルダーが、前記第２の毛ホルダーの前記長手方向軸線にほぼ垂直な方向に動く、請求項１に記載の電動歯ブラシ。
【請求項３】
前記第２の毛ホルダーが、旋回軸を更に備え、前記第１の毛ホルダーが前記旋回軸の周りで前記左右方向に動く、請求項１に記載の電動歯ブラシ。
【請求項４】
ブッシングを更に備え、前記シャフトが前記ブッシングに受け入れられ、その周りで旋回する、請求項１〜３のいずれか一項に記載の電動歯ブラシ。
【請求項５】
前記ブッシングが、弾性ポリマーから作成される、請求項４に記載の電動歯ブラシ。
【請求項６】
前記第１の毛ホルダーの底面及び前記第２の毛ホルダーの底面が、前記ヘッドの上面に接触する、請求項１〜５のいずれか一項に記載の電動歯ブラシ。
【請求項７】
前記第２の毛ホルダーが、前記ヘッドの開口を貫通する付属要素を備える、請求項１〜６のいずれか一項に記載の電動歯ブラシ。
【請求項８】
前記ブッシングが、前記シャフトの全長のほぼ中央部分の周りに配置される、請求項４に記載の電動歯ブラシ。
【請求項９】
前記シャフトが、前記第２の毛ホルダーの前記付属要素に係合し、前記第１の毛ホルダーの一部に係合する、請求項７に記載の電動歯ブラシ。
【請求項１０】
前記シャフトが、実質的に１つの平面上で前記左右方向に動く、請求項４に記載の電動歯ブラシ。
【発明の詳細な説明】
【技術分野】
【０００１】
本発明は、電動歯ブラシ、特に旋回するシャフトを有する歯ブラシに関する。
【背景技術】
【０００２】
様々な駆動機構を利用する電動歯ブラシが当該技術分野において既知である。
【発明の開示】
【発明が解決しようとする課題】
【０００３】
しかしながら、機械的に効率的であり、且つ／又はより小さくよりコンパクトな配列を提供する、複数の毛ホルダーの動きをもたらすことができる駆動機構を利用する電動歯ブラシを供給するという、継続した要望がある。
【課題を解決するための手段】
【０００４】
電動歯ブラシが提供される。電動歯ブラシは、ハンドルと、第１及び第２の毛ホルダーと長手方向軸線とを有するヘッドと、ハンドルとヘッドとの間に配置されるネックとを有する。モータはハンドル内に配置される。シャフトはモータに動作可能に接続される。シャフトは、左右方向に旋回し、第１及び第２の毛ホルダーに動作可能に接続されて、第２の毛ホルダーを左右方向に動かし、第１の毛ホルダーをヘッドの長手方向軸線にほぼ垂直な軸線の周りで振動させる。
【発明を実施するための最良の形態】
【０００５】
本明細書は、本発明を対象とする特許請求の範囲をもって結論とするが、本発明は、添付図面と併せた以下の説明から更に理解されると考えられる。
【０００６】
ここで本発明の様々な実施形態を参照し、その実施例が添付図面に図解されるが、類似した番号は図全体にわたって同じ要素を表す。図１に関して、電動歯ブラシ２０がここで説明される。電動歯ブラシ２０は、ハンドル２２と、ネック２４と、ヘッド２６とを備える。ネック２４は、ハンドル２２と一体的に形成されるか、又は別個の構成要素として供給されてもよい。ハンドル２２は、ハンドル２２の一部を螺合で係合するキャップ２８を有する。電動モータ３０は、電圧源と共にハンドル２２内に配置される。電圧源は、ハンドル２２内に配置されるクレードル３４に受け入れられる、１以上の電池３２の形態で供給されることができる。モータ３０は、回転式出力軸、及び回転式出力軸に取付けられた出力歯車３８を有する。出力歯車３８は、被動歯車４０を係合し、次にそれが、被動歯車４０の偏心ポスト（eccentric post）４４を係合する細長いスロット４５を有する連結具４４を有するシャフト４２に動作可能に接続される。スロット４５は、シャフト４２の長手方向軸線に沿ってそろっている。シャフトは、ハンドル２２又はネック２４により捕捉されるブッシング４６を含む。ブッシング４６は、シャフト４２をブッシング４６の周りで旋回させるいかなる可撓性材料で形成されることもできる。好適な材料には、天然又は合成ゴムなどの弾性ポリマーを挙げることができる。ブッシング４６は、シャフト４２がその周りで動く旋回軸として作用する。ブッシング４６の位置は、ヘッド２６に隣接するシャフト４２の端部における望ましい量の左右動作を達成するために、シャフト４２の全長に沿って変更することができる。被動歯車４０が回転すると、シャフト４２は、図２で最もよく見られるように、ブッシング４６の周りで左右方向に旋回する。シャフト４２の左右動作は、実質的に又は完全に１つの平面上で起こる。
【０００７】
ヘッド２６は、第１の自由端４８、及びネック２４を係合する第２の端部５０を有する。ヘッドは１以上の毛ホルダーを含む。電動歯ブラシ２０は２つの毛ホルダーを備える。第１の毛ホルダー５２は、第１の端部４８に隣接して配置され、第２の毛ホルダー５４は、第２の端部５０に隣接して配置される。第１の毛ホルダー５２は、図３に見られるように、ヘッド２６の長手方向軸線５８にほぼ垂直な軸線５６の周りで振動する。第２の毛ホルダー５４は、図４に見られるように、左右方向に、又はヘッドの長手方向軸線に垂直の動作に往復運動する。図４に見られる左右動作は、ヘッド２６の長手方向軸線５８にほぼ垂直であるが、第２の毛ホルダー５４の他の左右動作も提供され得ることが検討されている。例えば、第２の毛ホルダー５４は、ピン又はヒンジ５３の周りで回転又は旋回してもよい。ピン又はヒンジを、第２の毛ホルダー５４上の、どちらかの端部又は中央などの他の位置に供給して、左右方向の異なるタイプの運動をもたらし得る。
【０００８】
シャフト４２は、第２の毛ホルダー５４の延長部６０を通る。延長部６０はその中に、シャフト４２の１部を受け入れる穴６２を有する。延長部６０は、第２の毛ホルダー５４をその左右動作において導く、ヘッド２６のスロット６４に受け入れられる。シャフト４２の端部６６は、第１の毛ホルダー５２のスロット６４（図６及び７）を動作可能に係合して、第１の毛ホルダー５２を軸線５６の周りの振動動作で動かす。
【０００９】
本明細書で記載されるいかなる方法及び／又は製品のいかなる特徴、態様、又は詳細も、本明細書で記載される１以上の他の方法又は製品のいかなる他の特徴、態様、又は詳細とも、全体を又は部分的に組み合わせることができることに留意することが重要である。本発明の特定の実施形態について説明し記載したが、本発明の精神及び範囲から逸脱することなく他の様々な変更及び修正が可能であることが当業者には自明である。従って、本発明の範囲内にあるそのようなすべての変更及び修正を、添付の特許請求の範囲で扱うものとする。
【００１０】
先に引用される全ての文献は、参考として本明細書に組み込まれるが、いかなる文献の引用も、それが本発明に関する先行技術であることの容認として解釈すべきでない。
【図面の簡単な説明】
【００１１】
【図１】本発明に従って作られた電動歯ブラシの組み立て分解斜視図。
【図２】図１の電動歯ブラシのシャフト、ブッシング及び被動歯車の平面図。
【図３】図１の歯ブラシのヘッドの側面図。
【図４】図３のヘッドの平面図。
【図５】図１の歯ブラシと共に使用するのに好適なヘッドの別の実施形態の平面図。
【図６】図１の歯ブラシの第１の毛ホルダーの側面図。
【図７】図６の第１の毛ホルダーの別の側面図。
【図１】
2008510527.tif 000003
【図２】
2008510527.tif 000004
【図３】
2008510527.tif 000005
【図４】
2008510527.tif 000006
【図５】
2008510527.tif 000007
【図６】
2008510527.tif 000008
【図７】
2008510527.tif 000009
【国際調査報告】
2008510527.tif 000010
2008510527.tif 000011
2008510527.tif 000012
2008510527.tif 000013
2008510527.tif 000014